(57)【要約】【課題】家禽類の新しい予防薬接種装置を開発して、ワクチンの接種作業の簡単化、労働負荷の軽減を実現する。【解決手段】可撓性プラスチック製の筒状型容器からなり、内部空間に予防接種薬液を貯留する一端開放形の本体容器と、この容器本体の一端開放部を閉塞する蓋体２と、を備え、前記蓋体２は、容器本体の外側にニワトリ等の家禽類の翼膜に穿刺する針２０３が容器本体の外側に設けられていると共に、該本体内部から前記針２０３の表面先端にわたって容器本体を押圧することによって家禽類一羽当たりに接種する微小量の薬液を導出する薬液漏出孔（導出孔）２０４が設けられていることを特徴とする家禽類の予防薬接種装置。【選択図】　図２
2004089370.tif 000002
【特許請求の範囲】
【請求項１】
可撓性プラスチック製の筒状型容器からなり、内部空間に予防接種薬液を貯留する一端開放形の本体容器と、この容器本体の一端開放部を閉塞する蓋体と、を備え、前記蓋体は、容器本体の外側にニワトリ等の家禽類の翼膜に穿刺する針が容器本体の外側に設けられていると共に、該本体内部から前記針の表面先端にわたって容器本体を押圧することによって家禽類一羽当たりに接種する微小量の薬液を導出する微小孔が設けられていることを特徴とする家禽類の予防薬接種装置。
【請求項２】
前記請求項１において、容器本体内部に予め貯留している薬液量が数ｍｌ〜数１００ｍｌであり、一羽当たりの接種量が０．００３ｍｌ〜０．０２ｍｌであることを特徴とする家禽類の予防薬接種装置。
【請求項３】
前記請求項１において、容器本体内部に予め貯留している薬液量が数ｍｌ〜数１０ｍｌであり、一羽当たりの接種量が０．００３ｍｌ〜０．０２ｍｌであることを特徴とする家禽類の予防薬接種装置。
【発明の詳細な説明】
【０００１】
【産業上の利用分野】
本発明は、ニワトリ等の家禽類（以下単に「鶏」という）にワクチンを接種するための予防薬接種装置に関するものである。
【０００２】
【従来の技術】
従来から鶏痘ワクチンに代表される予防薬の接種には、ワクチン濃度の関係から一羽当たりの接種量が微小量（０．００５ｍｌ〜０．０３ｍｌ）になるように先端構造などが工夫された点鼻法，点眼法が知られ、また薬液接種作業自体は単純・簡単な熟練度を必要としない翼膜穿刺法が知られ、広く採用されている。
【０００３】
このうちの翼膜穿刺法は、眼や鼻という特定器官に液（ワクチン含有液：以下「ワクチン液」という）を接種するのではなく、ワクチン液を所定量保持するように工夫された構造を有する針を、針先表面に保持しているワクチン液を、鶏の翼膜等に穿刺することで傷口から鶏に接種する方法であり、作業能率が優れ熟練性もあまり要求さないという利点がある。
【０００４】
そして、翼膜穿刺法には大別して以下の二つの方法がある。
【０００５】
▲１▼：金属製の針をプラスチックで支えて全体として棒状にし、穿刺の度毎に針先を、別に用意したワクチン液に浸し、針を鶏の翼膜を穿刺するように使用する方法。
【０００６】
▲２▼：一般に、透明の筒体の中を軸方向に動く長尺の針を収容すると共に、針を軸方向に一定長動かすピストル型のトリガー構造を設け、針の収容部にはワクチン液を補填するリザーバを連結した構造のワクチガン（農林省指令６０番Ａ第３７６４号）の針を鶏の翼膜を穿刺するように使用する方法。
【０００７】
【発明が解決しようとする課題】
前記の方法のうち翼膜穿刺法は、簡便性に優れ、熟練性もあまり要求されないという利点があるが、本発明者の検討によれば未だ改善の余地のあることが分かった。
【０００８】
すなわち鶏に対するワクチン接種は、接種量が極微小量であるものの、
この微小量のワクチン接種を数百羽ないし数千羽に行う必要があり、手作業であるためにその労働負担が大きいという問題がある。
【０００９】
例えば上記▲１▼作業では、棒状の針をワクチン液に浸し、鶏に穿刺するという作業を羽数だけ繰り返す必要があり、上記▲２▼の作業ではトリガー構造を持つ比較的重たいワクチガンを手に持って長時間作業しなければならず、いずれにしても労働負荷が小さくないという問題がある。
【００１０】
そこで本発明においては、新しい予防薬接種装置を開発して、ワクチンの接種作業の簡単化、労働負荷の軽減を実現することができるようにしたものである。
【００１１】
【課題を解決するための手段】
前記目的を実現するための請求項１の本発明の家禽類の予防薬接種装置の特徴は、可撓性プラスチック製の筒状型容器からなり、内部空間に予防接種薬液を貯留する一端開放形の本体容器と、この容器本体の一端開放部を閉塞する蓋体と、を備え、前記蓋体は、容器本体の外側にニワトリ等の家禽類（鶏）の翼膜に穿刺する針が容器本体の外側に設けられていると共に、該本体内部から前記針の表面先端にわたって容器本体を押圧することによって鶏一羽当たりに接種する微小量の薬液を導出する微小孔が設けられているところにある。
【００１２】
前記に置いて、容器本体内部に予め貯留している薬液量が数ｍｌ〜数１００ｍｌ、あるいは数ｍｌ〜数１０ｍｌであり、一羽当たりの接種量が０．００３ｍｌ〜０．０２ｍｌであることを特徴とする。
【００１３】
前記において、容器本体の材料にはポリエチレン，ポリプロピレン等のプラスチックが好ましく用いられる。
【００１４】
容器本体の形状としては、保形性を保ち薬液接種時には容易に変形できるような形状が望ましく、一般的には、比較的薄肉で壜形，ボトル形のものが好ましく用いられる。
【００１５】
蓋体は、金属製，硬質プラスチック製の材料にて構成され、容器本体に組付けた際に、斜め等の姿勢とならずに一定の姿勢で緩みなく確実に固定されるように設けたものがよい。
【００１６】
【発明の実施の形態】
実施形態１
図１は、本例予防薬接種装置の容器本体を示し、図１（ａ）はポリエチレン製の容器本体１の径方向から見た図であり，軸線を含む断面で左半図は外観図、右半図縦断面図である。図１（ｂ）は容器本体１の開放一端から見た端面図である。これらの図から分かるように、本例の容器本体１は、他端（図の下端）から細口の肩部までいたる（軸方向長さ約４３ｍｍ）筒部本体１０１と、前記肩部から筒部一端の開放端に至る若干口細で短尺（軸方向長さ約１２ｍｍ）の口筒部１０２と、この口筒部１０２の最外端に設けられた径方向外側に向いたフランジ部１０３とからなっている（薬液最大貯留量約１５ｍｌ）。
【００１７】
図２は蓋体２を示し、図２（ａ）は斜視図、図２（ｂ）は縦正面図、図２（ｃ）は容器本体１側からの正面図、図２（ｄ）は軸線を含む正面図である。
【００１８】
そしてこの蓋体２は、前記口筒部１０２に着脱可能に略嵌着し最外端側が閉塞している筒部２０１と、この筒部２０１から径方向外側に延出したフランジ部２０２と、筒部２０１の閉塞している最外端側の中心から軸線に沿って外部に延出するように設けられた針２０３と、この針２０３の根元から蓋体筒部２０１内に連通するように設けられた薬液漏出孔（導出孔）２０４とからなっている。
【００１９】
なお、漏出孔２０４の径は、鶏一羽当たりに接種する０．００３ｍｌ〜０．０２ｍｌ（本例では０．００５ｍｌ）の薬液漏出量に相当する微小流径の大きさに設けられており、容器本体１０１の同部（筒部）を径方向内側に押圧することによって前記薬液漏出量が接種できるように漏出するようになっている。
【００２０】
また前記蓋体２の針２０３の根元内側（容器本体内側）には、針を保持するための針保持筒部２０５が設けられている。また蓋体２には保護突起２０７が針２０３と密着して設けられている。保護突起２０７は、薬液漏出口２０４を接種時のホコリ等による詰りから保護するために設けるものである。保護突起２０７の根元部分には、保護突起２０７を補強するための一対の三角形型補強材２０６が約１６０°の角度で設けられている。
【００２１】
以上のような構造の容器本体１と、蓋体２とからなる予防薬接種装置に、薬液を添加貯留し蓋体２を略嵌着し、薬液接種を接種の準備を終える。
【００２２】
そして針の表面に薬液を漏出させた後、鶏翼膜を剥き出し、針を鶏に刺して薬液接種作業を行う。
【００２３】
試験例
有効量が０．００５ｍｌとなるように調製した日生研社製乾燥鶏痘ワクチンを、日齢のＳＰＦ鶏（ニワトリ）１０羽に穿刺接種し、試験群とした。またワクチンを接種しない同鶏（ニワトリ）１０羽を対照群とした。
【００２４】
経過を観察したところ、試験群では、接種後１４日の間に全ての鶏（ニワトリ）の穿刺接種部分に発痘が観察された。
【００２５】
対照群では全ての鶏（ニワトリ）において発痘が観察されなかった。
【００２６】
以上のことから、本発明の予防薬接種装置を用いた穿刺接種法の有効性が確認された。
【００２７】
なお本発明は前記実施形態に限定されるものではなく、発明の要旨を変更しない範囲で種々異なる仕様を採用することができる。例えば、筒状本体内部にダイヤフラムを設けることもできるし、ダイヤフラムの外側に外気と連通する空気孔を設けることもできる。
【００２８】
【発明の効果】
本発明の新しい予防薬接種装置によれば、ワクチンの接種作業が容易であり、作業も簡単化されることが分かった。
【００２９】
また、スプリングを内蔵した従来の予防薬接種装置に比べ、多数の鶏に対する予防薬接種における繰り返しの労働負荷が大幅に軽減される効果のあることが確認された。
【図面の簡単な説明】
【図１】本例予防薬接種装置の容器本体を示し、図１（ａ）はポリエチレン製の容器本体１の径方向から見た図であって、軸線を含む断面で左半図は外観図、右半図縦断面図である。図１（ｂ）は容器本体１の開放一端から見た端面図である。
【図２】蓋体２を示し、図２（ａ）は斜視図、図２（ｂ）は縦正面図、図２（ｃ）は容器本体１側からの正面図、図２（ｄ）は軸線を含む正面図である。
１・・・容器本体
１０１・・・筒部本体
１０２・・・口筒部
１０３・・・フランジ部
２・・・蓋体２
２０１・・・筒部
２０２・・・フランジ部
２０３・・・針
２０４・・・薬液漏出孔（導出孔）
２０５・・・針保持筒部
２０６・・・三角形型補強材
２０７・・・保護突起
【図１】
2004089370.tif 000003
【図２】
2004089370.tif 000004